(57)【要約】      （修正有）【課題】外在の物理的パラメータの変化によって発光素子の発光を制御することによって、発光素子の発光をパターン化し、多様性を持たせ、好ましい視覚的効果の得られる発光手段を具える台座、容器及びバンドなどの器物を提供する。【解決手段】物体を載置するベース構造部１０２と、ベース構造部上に設ける少なくとも一以上の発光素子１０４と、制御信号を発生させて発光素子の発光形式、パターン、強度、もしくは発光の時間の長さを制御する制御モジュール１０６と、発光素子と、制御モジュールとに電気エネルギーを供給する電源１０８とを含んでなり、物体を載置するために供する台座１００を具える。【選択図】図１Ｂ
0003107137.tif 000002
【実用新案登録請求の範囲】
【請求項１】
物体を載置するベース構造部と、
該ベース構造部上に設ける少なくとも一以上の発光素子と、
制御信号を発生させて該発光素子の発光形式、パターン、強度、もしくは
発光の時間の長さを制御する制御モジュールと、
該発光素子と、該制御モジュールとに電気エネルギーを供給する電源とを含んでなり、物体を載置するために供する発光素子を具える台座。
【請求項２】
前記物体が容器であることを特徴とする請求項１に記載の発光素子を具える台座。
【請求項３】
前記台座が、外部の物理的パラメータの変化を感知して指示信号を該制御モジュールに出力するセンサをさらに具えることを特徴とする請求項１に記載の発光素子を具える台座。
【請求項４】
前記台座が、該台座に載置する物体を固定するための固定手段をさらに具えることを特徴とする請求項３に記載の発光素子を具える台座。
【請求項５】
前記台座が、発光の形式を選択するために供され、セレクト信号を該制御モジュールに出力するセレクト・スイッチをさらに具えることを特徴とする請求項３に記載の発光素子を具える台座。
【請求項６】
前記台座が、該発光素子の発光する時間の長さを計算してタイマー信号を該制御モジュールに出力するタイマーをさらに具えることを特徴とする請求項３に記載の発光素子を具える台座。
【請求項７】
前記台座が、該電源の該発光素子と、該センサと、該制御モジュールに対する電気エネルギーの供給を制御する開閉器をさらに具えることを特徴とする請求項３に記載の発光素子を具える台座。
【請求項８】
前記台座が、該発光素子の照射する光線を転換して特定のパターンを発生させる光学素子をさらに具えることを特徴とする請求項３に記載の発光素子を具える台座。
【請求項９】
物質を収納する凹状構造部と、
該凹状構造部に設ける少なくとも一以上の発光素子と、
制御信号を発生させて該発光素子の発光形式、パターン、強度、もしくは
発光の時間の長さを制御する制御モジュールと、
該発光素子と、該制御モジュールとに電気エネルギーを供給する電源とを含んでなり物質を収納するために供する発光素子を具える容器。
【請求項１０】
前記容器が、外部の物理的パラメータの変化を感知して指示信号を該制御モジュールに出力するセンサをさらに具えることを特徴とする請求項９に記載の発光素子を具える容器。
【請求項１１】
前記容器が、発光の形式を選択するために供され、セレクト信号を該制御モジュールに出力するセレクト・スイッチをさらに具えることを特徴とする請求項１０に記載の発光素子を具える容器。
【請求項１２】
前記容器が、該発光素子の発光する時間の長さを計算してタイマー信号を該制御モジュールに出力するタイマーをさらに具えることを特徴とする請求項１０に記載の発光素子を具える容器。
【請求項１３】
前記容器が、該電源の該発光素子と、該センサと、該制御モジュールに対する電気エネルギーの供給を制御する開閉器をさらに具えることを特徴とする請求項１０に記載の発光素子を具える容器。
【請求項１４】
前記容器が、該発光素子の照射する光線を転換して特定のパターンを発生させる光学素子をさらに具えることを特徴とする請求項１０に記載の発光素子を具える容器。
【請求項１５】
物体を締結するバンド状構造部と、
該バンド状構造部に設ける少なくとも一以上の発光素子と、
制御信号を発生させて該発光素子の発光形式、パターン、強度、もしくは
発光の時間の長さを制御する制御モジュールと、
該発光素子と、該制御モジュールとに電気エネルギーを供給する電源とを含んでなり物質を収納するために供する発光素子を具えるバンド。
【請求項１６】
前記バンドが、外部の物理的パラメータの変化を感知して指示信号を該制御モジュールに出力するセンサをさらに具えることを特徴とする請求項１５に記載の発光素子を具えるバンド。
【請求項１７】
前記バンド、発光の形式を選択するために供され、セレクト信号を該制御モジュールに出力するセレクト・スイッチをさらに具えることを特徴とする請求項１６に記載の発光素子を具えるバンド。
【請求項１８】
前記バンドが、該発光素子の発光する時間の長さを計算してタイマー信号を該制御モジュールに出力するタイマーをさらに具えることを特徴とする請求項１６に記載の発光素子を具えるバンド。
【請求項１９】
前記容器は、該発光素子の照射する光線を転換して特定のパターンを発生させる光学素子をさらに具えることを特徴とする請求項１６に記載の発光素子を具える容器。
【請求項２０】
前記バンドが、該電源の該発光素子と、該センサと、該制御モジュールに対する電気エネルギーの供給を制御する開閉器をさらに具えることを特徴とする請求項１６に記載の発光素子を具えるバンド。
【請求項２１】
前記開閉器は、該バンド状構造部の第１端と、第２端とを連結することによって、該電源と該発光素子、及び該制御モジュールとを電気的に接続し、電気エネルギーを供給するように構成することを特徴とする請求項２０に記載の発光素子を具えるバンド。
【考案の詳細な説明】
【技術分野】
【０００１】
本考案は発光手段に関し、特に外部の物理的パラメータの変化を感知して発光する発光装置に関する。
【背景技術】
【０００２】
発光ダイオードは、すでに装飾用、もしくはその他異なる物品に広く応用されている。物品上に発光ダイオードが設けられていれば、暗所において該物品の位置を容易に知ることができる。また、発光ダイオードを設けることによって異なる視覚的効果を達成することができる。視覚的効果の変化によって、単調で変化に乏しい物品の外観上の感覚を変化させることができ、かつ該物品質感を増すことができる。但し単に物品上に発光ダイオードを設け発光させるだけでは、やはり単調のきらいを免れない。発光ダイオードの発光を制御してパターン化した変化を与えることができれば、視覚的効果を多様化させることができ、より多くの人の目を引くことができる。
【考案の開示】
【考案が解決しようとする課題】
【０００３】
本考案は、外在の物理的パラメータの変化によって発光素子の発光を制御することによって、発光素子の発光をパターン化し、多様性を持たせ、好ましい視覚的効果の得られる発光手段を具える台座、容器及びバンドなどの器物を提供することを課題とする。
【課題を解決するための手段】
【０００４】
そこで本考案者は、従来の技術に鑑み鋭意研究を重ねた結果、物体を載置するベース構造部を有する台座か、凹状部を有する容器か、もしくはバンド状構造部を有するバンドに少なくとも一以上の発光素子と、制御信号を発生させて該発光素子の発光形式、パターン、強度、もしくは発光の時間の長さを制御する制御モジュールと、該発光素子と、該制御モジュールとに電気エネルギーを供給する電源とを設け、さらにセンサ、開閉器、セレクト・スイッチ、タイマーを設けてなる発光素子を具える台座容器及びバンドなどの器物の構造によって課題を解決できる点に着眼し、係る知見に基づき本考案を完成させた。
【０００５】
以下、本考案について具体的に説明する。
【０００６】
請求項１に記載する発光素子を具える台座は、物体を載置するベース構造部と、
該ベース構造部上に設ける少なくとも一以上の発光素子と、
制御信号を発生させて該発光素子の発光形式、パターン、強度、もしくは
発光の時間の長さを制御する制御モジュールと、
該発光素子と、該制御モジュールとに電気エネルギーを供給する電源とを含んでなり、物体を載置するために供する。
【０００７】
請求項２に記載する発光素子を具える台座は、請求項１における記物体が容器である。
【０００８】
請求項３に記載する発光素子を具える台座は、請求項１における台座が、外部の物理的パラメータの変化を感知して指示信号を該制御モジュールに出力するセンサをさらに具える。
【０００９】
請求項４に記載する発光素子を具える台座は、請求項３における台座が、該台座に載置する物体を固定するための固定手段をさらに具える。
【００１０】
請求項４に記載する発光素子を具える台座は、請求項３における台座が、発光の形式を選択するために供され、セレクト信号を該制御モジュールに出力するセレクト・スイッチをさらに具える。
【００１１】
請求項６に記載する発光素子を具える台座は、請求項３における台座が、該発光素子の発光する時間の長さを計算してタイマー信号を該制御モジュールに出力するタイマーをさらに具える。
【００１２】
請求項７に記載する発光素子を具える台座は、請求項３における台座が、該電源の該発光素子と、該センサと、該制御モジュールに対する電気エネルギーの供給を制御する開閉器をさらに具える。
【００１３】
請求項８に記載する発光素子を具える台座は、請求項３における台座が、該発光素子の照射する光線を転換して特定のパターンを発生させる光学素子をさらに具える。
【００１４】
請求項９に記載する発光素子を具える容器は、物質を収納する凹状構造部と、
該凹状構造部に設ける少なくとも一以上の発光素子と、
制御信号を発生させて該発光素子の発光形式、パターン、強度、もしくは
発光の時間の長さを制御する制御モジュールと、
該発光素子と、該制御モジュールとに電気エネルギーを供給する電源とを含んでなり物質を収納するために供する。
【００１５】
請求項１０に記載する発光素子を具える容器は、請求項９における記容器が、外部の物理的パラメータの変化を感知して指示信号を該制御モジュールに出力するセンサをさらに具える。
【００１６】
請求項１１に記載する発光素子を具える容器は、請求項１０における容器が、発光の形式を選択するために供され、セレクト信号を該制御モジュールに出力するセレクト・スイッチをさらに具える。
【００１７】
請求項１２に記載する発光素子を具える容器は、請求項１０における容器が、該発光素子の発光する時間の長さを計算してタイマー信号を該制御モジュールに出力するタイマーをさらに具える。
【００１８】
請求項１３に記載する発光素子を具える容器は、請求項１０における容器が、該電源の該発光素子と、該センサと、該制御モジュールに対する電気エネルギーの供給を制御する開閉器をさらに具える。
【００１９】
請求項１４に記載する発光素子を具える容器は、請求項１０における容器が、該発光素子の照射する光線を転換して特定のパターンを発生させる光学素子をさらに具える。
【００２０】
請求項１５に記載する発光素子を具えるバンドは、物体を締結するバンド状構造部と、
該バンド状構造部に設ける少なくとも一以上の発光素子と、
制御信号を発生させて該発光素子の発光形式、パターン、強度、もしくは発光の時間の長さを制御する制御モジュールと、
該発光素子と、該制御モジュールとに電気エネルギーを供給する電源とを含んでなり物質を収納するために供する。
【００２１】
請求項１６に記載する発光素子を具えるバンドは、請求項１５におけるバンドが、外部の物理的パラメータの変化を感知して指示信号を該制御モジュールに出力するセンサをさらに具える。
【００２２】
請求項１７に記載する発光素子を具えるバンドは、請求項１６におけるバンドが、発光の形式を選択するために供され、セレクト信号を該制御モジュールに出力するセレクト・スイッチをさらに具える。
【００２３】
請求項１８に記載する発光素子を具えるバンドは、請求項１６におけるバンドが、該発光素子の発光する時間の長さを計算してタイマー信号を該制御モジュールに出力するタイマーをさらに具える。
【００２４】
請求項１９に記載する発光素子を具えるバンドは、請求項１６における容器が、該発光素子の照射する光線を転換して特定のパターンを発生させる光学素子をさらに具える。
【００２５】
請求項２０に記載する発光素子を具えるバンドは、請求項１６におけるバンドが、該電源の該発光素子と、該センサと、該制御モジュールに対する電気エネルギーの供給を制御する開閉器をさらに具える。
【００２６】
請求項２１に記載する発光素子を具えるバンドは請求項２０における開閉器が、該バンド状構造部の第１端と、第２端とを連結することによって、該電源と該発光素子及び該制御モジュールとを電気的に接続し、電気エネルギーを供給するように構成する。
【考案の効果】
【００２７】
本考案による発光手段を具える台座、容器及びバンドなどの器物は、発光素子の発光を制御することによって、発光素子の発光をパターン化し、多様性を持たせ、好ましい視覚的効果が得られ、これら器物の質感を高め、商品としての付加価値を高めるという利点を有する。
【考案を実施するための最良の形態】
【００２８】
本考案は外部の物理的パラメータの変化を感知して発光する発光装置を設けた器物を提供するものであって、即ち、かかる発光装置を設ける台座、容器、及びバンドは、いずれも少なくとも一以上の発光素子を具える。その構造と特徴を説明するために、具体的な実施例を挙げて以下に詳述する。以下の実施例において、発光素子は発光ダイオード素子を以って表わす。但し、発光素子の範囲はこれに限らず、その他電気的に発光する物質であってもよい。
【実施例１】
【００２９】
図１Ａに、本考案の実施例の一つである発光する台座１００を開示する。台座１００は、物体１５０を載置することができる。但し、特定の形状に限定しない。図１Ｂに開示するように、台座１００はベース構造部１０２を具え、かつ少なくとも一以上の発光ダイオード素子１０４と、制御モジュール１０６と、電源１０８とを有する。
【００３０】
ベース構造部１０２は物体１５０を載置するためのものであって、物体１５０は、例えば携帯電話機、電話機、電器のリモートコントロール装置などであり、もしくは容器類（例えばコップ、瓶）などであってもよい。
【００３１】
発光ダイオード素子は、ベース構造部１０２に少なくとも一以上設けられ、制御モジュール１０６は制御信号を発生させて発光ダイオード素子１０４の発光の形式、強度及び時間の長さを制御する。
【００３２】
電源１０８は、発光ダイオード１０４と制御モジュール１０６に電気を供給する。
【００３３】
台座１００は、さらにセンサ１０３を具える。センサ１０３は電源１０８の提供する電気エネルギーによって作動し、外部の物理的パラメータの変化を感知して指示信号を制御モジュールに伝送する。センサ１０３は、温度、圧力、音声、光線、もしくは人体の生体的特性（例えば体温、指紋、声紋など）を感知する。例を挙げれば、物体を台座１００に載置した場合、センサ１０３は台座１００の受ける圧力の変化を感知して指示信号を制御モジュール１０６に出力し、発光ダイオード１０４の発光を制御する。
【００３４】
また、台座１００は、さらに固定手段１０５を具える。固定手段１０５は台座１００に載置する物体１５０を台座１００上に固定するためのものであって、例えば係合部か、真空吸着パッドか、もしくはこれらの類の固定手段である。
【００３５】
台座１００は、さらにタイマー１０７を含む。タイマー１０７は電源１０８の提供する電気エネルギーによって作動し、発光ダイオード素子１０４が発光する時間の長さを計算して、タイマー信号を制御モジュール１０６に出力し、発光ダイオード１０４の発光の時間の長さを制御する。
【００３６】
また、台座１００は、さらに開閉器１０９を具える。開閉器１０９は、電源１０８の台座１００上に設けた電子部材に対する電気の供給を制御する。例えばセンサ１０３、発光ダイオード素子１０４、制御モジュール１０６及びタイマー１０７などである。開閉器１０９が開放された状態において、電源１０８は台座１００に設けられた電子部材に対する電気の供給を中段する。よって、電子部材のスタンバイ電流の発生によるパワーの消耗を避けることができる。
【００３７】
また、台座１００はセレクト・スイッチ１１１を含む。セレクト・スイッチ１１１によって、使用者は発光の形式を選択することができる。セレクト・スイッチ１１１によって発生するセレクト信号は制御モジュール１０６に伝送されて発光ダイオード素子１０４の発光形式と、発光のパターンを制御する。セレクト・スイッチは、多段式のダイヤルスイッチであってもよく。また台座１００を二段に形成し、その内の一段をセレクト・スイッチとしてセレクト信号を発生させるように構成してもよい。発光の形式と発光のパターンは、例えば異なる色の発光ダイオードを発光させることによって色を変化させるか、発光ダイオードの配列によって字形を表わすか、もしくはその他視覚的効果を含む。
【００３８】
また、台座１００は光学素子１１２をさらに含む。光学素子１１２は、発光ダイオード素子１０４から照射する光線を転換して特定のパターンを発生させるものである。光学素子１１２は、レンズか、プリズムか、もしくはダイアモンド類であって、光線の多重全反射を行うように光学的設計を具える。光学素子１１２には、視覚的効果を得るために、文字、パターン（例えば商標のロゴなど）をプリントするか、刻印し、該文字、パターンを光線によって表現し、認識に供することができる。
【００３９】
（実施例２）
【００４０】
図２Ａ及び図２Ｂに、本考案の実施例２を開示する。実施例２は発光する容器（例えばコップ、瓶）であって、その構成は、前述する発光する台座と略同様である。但し、実施例２は物質を収納する容器であり、この点において実施例１と異なる。よって、凹状構造部を具える構造でなければならない。その他部材と、その機能は、上述する発光する台座と同様である。該容器上に設けるセンサは、例えば容器に特定の容量の液体に荷重を受けた場合、もしくは該容器が外部からの衝撃を受けた場合に指示信号を発生して制御モジュールに出力し、発光ダイオードの発光の形式とパターンを指示し、発光ダイオード素子を発光させる。
【００４１】
（実施例３）
【００４２】
図３に、本考案の実施例３を開示する。実施例３は発光するバンド３００であって、物体を締結するために用いる。図面によればバンド３００は、バンド状構造部３０２と、少なくとも一以上の発光ダイオード素子３０４と、制御モジュール３０６と、電源３０８とを含んでなる。
【００４３】
バンド状構造部３０２は、例えば手に巻くバンド、頭部に巻くバンド、腰に巻くベルト、もしくは足に巻くバンドなどの構造を具える。
【００４４】
発光ダイオード素子３０４はバンド状構造部３０２に少なくとも一以上設けられ、制御モジュール３０６は制御信号を発生させて発光ダイオード素子３０４の発光の形式、強度、及び時間の長さを制御する。
【００４５】
電源３０８は、発光ダイオード素子３０４と制御モジュール３０６に電気を供給する。
【００４６】
発光するバンド３００は、さらにセンサ３０３を具える。センサ３０３は電源３０８の提供する電気エネルギーによって作動し、外部の物理的パラメータの変化を感知して指示信号を制御モジュールに伝送する。センサ３０３は、温度、圧力、音声、光線、もしくは人体の生体的特性（例えば体温、指紋、声紋など）を感知する。例を挙げれば、発光するバンド３００を頭部に巻いた場合、センサ３０３は使用者の額の温度の変化を感知して指示信号を制御モジュール３０６に出力し、発光ダイオード素子３０４の発光を制御する。
また、発光するバンド３００は携帯電話機のアクセサリーであってもよく、この場合、センサ３０３が着信を感知して指示信号を発生させ、制御モジュール３０６に伝送する。
【００４７】
また、発光するバンド３００は、さらにタイマー３０７を含む。タイマー３０７は電源３０８の提供する電気エネルギーによって作動し、発光ダイオード素子３０４が発光する時間の長さを計算して、タイマー信号を制御モジュール３０６に出力し、発光ダイオード素子３０４の発光の時間の長さを制御する。
【００４８】
また、発光するバンド３００は、さらに開閉器３０９を具える。開閉器３０９は、電源３０８のバンド状構造部３０２上に設けた電子部材に対する電気の供給を制御する。例えばセンサ３０３、発光ダイオード素子３０４、制御モジュール３０６及びタイマー３０７などである。また、開閉器３０９は、第１端３０１と第２端３０５とを連結することによって電源３０８とバンド状構造部３０２上の電子部材とが電気的に接続した状態となり、電気を供給するように構成してもよい。
【００４９】
また、発光するバンド３００はさらにセレクト・スイッチ３１１を含む。セレクト・スイッチ３１１によって、使用者は発光の形式を選択することができる。セレクト・スイッチ３１１によって発生するセレクト信号は制御モジュール３０６に伝送されて発光ダイオード素子３０４の発光形式と、発光のパターンを制御する。
【００５０】
本考案による発光する台座、容器、バンドは、センサによって外部の物理的パラメータの変化を感知して指示信号を制御モジュールに出力し、発光ダイオード素子の発光の形式、強度、発光時間の長さなどを制御し、さらに制御モジュールの作用によって発光ダイオードが発光する場合の視覚的効果を多様に変化させることが出来る。またタイマーを併せ用いることによって、その視覚上の変化をさらに多様にすることができる。この他、セレクト・スイッチを設けることによって使用者に対して、発光による表示形式とパターンの選択を提供することができ、開閉器を設けることによってスタンバイ電流の発生にともなうパワーの消耗を防ぐことができ、節電の効果が得られる。
【００５１】
以上は本考案の好ましい実施例であって、本考案の実施の範囲を限定するものではない。よって、当業者のなし得る修正、もしくは変更であって、本考案の精神の下においてなされ、本考案に対して均等の効果を有するものは、いずれも本考案の特許請求の範囲に属するものとする。
【図面の簡単な説明】
【００５２】
【図１Ａ】本考案による発光する台座の外観を示した斜視図である。
【図１Ｂ】本考案による発光する台座の使用状態を示す斜視図である。
【図２Ａ】本考案による発光する容器の構造を示した説明図である。
【図２Ｂ】本考案による発光する容器の構造を示した他の説明図である。
【図３】本考案による発光するベルトの構造を示した説明図である。
【符号の説明】
【００５３】
１００  台座
１０２  ベース構造部
１０３、３０３  センサ
１０４、３０４  発光ダイオード素子
１０５  固定手段
１０６、３０６  制御モジュール
１０７、３０７  タイマー
１０８、３０８  電源
１０９、３０９  開閉器
１１１、３１１  セレクト・スイッチ
１１２  光学素子
１５０  物体
３００  バンド
３０１  第１端
３０２  バンド状構造部
３０５  第２端
【図１Ａ】
0003107137.tif 000003
【図１Ｂ】
0003107137.tif 000004
【図２Ａ】
0003107137.tif 000005
【図２Ｂ】
0003107137.tif 000006
【図３】
0003107137.tif 000007